(57)【要約】【課題】  ステント留置前の術前診断に適したユーザインタフェースを備える画像診断装置を提供する。【解決手段】  画像診断装置であって、縦断面画像を、縦断面画像表示領域４２０に表示する手段と、縦断面画像の軸方向の位置に対応する横断面画像を、横断面画像表示領域６１０に表示する手段と、長さ計測ボタン６０１が押下された場合に、横断面画像表示領域６１０を２つの矩形領域６１１、６１２に分割する手段と、縦断面画像表示領域４２０内に、指示子６２１、６２２を表示する手段と、を備え、前記横断面画像表示領域６１０が２つの矩形領域６１１、６１２に分割されると、前記２つの指示子６２１、６２２によって指示される位置に対応する横断面画像が、それぞれの矩形領域６１１、６１２に表示される。【選択図】  図７
2012200532.tif 000002
【特許請求の範囲】
【請求項１】
信号の送受信を連続的に行う送受信部を、管状組織において軸方向に移動させながら該管状組織からの反射信号を取得し、該取得した反射信号に基づいて該管状組織の断面画像の構築に用いられるラインデータを生成するとともに、該生成したラインデータを用いて、該管状組織の軸と直交する方向の横断面画像を複数構築する画像診断装置であって、
それぞれの前記横断面画像の構築に用いられるラインデータを用いて、前記管状組織の横軸方向の縦断面画像を構築し、第１の表示領域に表示する第１の表示手段と、
前記第１の表示領域に表示された前記縦断面画像における軸方向の任意の位置に対応する、前記横断面画像を、第２の表示領域に表示する第２の表示手段と、
前記第１の表示領域に対して所定の操作を実行する旨の指示を受け付けた場合に、前記第２の表示領域を少なくとも２つの個別領域に分割する分割手段と、
前記所定の操作を実行する旨の指示を受け付けた場合に、前記第１の表示領域に、前記縦断面画像における軸方向の位置を指示するための指示子を少なくとも２つ表示する指示手段と、を備え、
前記第２の表示手段は、前記分割手段により、前記第２の表示領域が少なくとも２つの個別領域に分割された場合に、前記指示手段により表示された少なくとも２つの指示子によって指示された、前記軸方向の位置に対応する横断面画像を、それぞれの個別領域に表示することを特徴とする画像診断装置。
【請求項２】
前記指示手段により表示された指示子のうち、２つの指示子が指示する位置が確定された場合に、当該２つの指示子の間の距離が算出され、前記第１の表示領域には、当該算出された距離が表示されることを特徴とする請求項１に記載の画像診断装置。
【請求項３】
前記第１の表示領域において、前記算出された距離を表示するにあたり、前記２つの指示子の間には、当該２つの指示子を結ぶ距離表示線が表示されることを特徴とする請求項２に記載の画像診断装置。
【請求項４】
前記２つの指示子の間の距離が算出され、前記第１の表示領域に当該算出された距離が表示された後に、再び、前記第１の表示領域に対して所定の操作を実行する旨の指示を受け付けた場合、前記第１の表示領域に表示されていた前記距離表示線は表示されたまま、前記２つの指示子は消去され、新たに、別の指示子が表示されることを特徴とする請求項３に記載の画像診断装置。
【請求項５】
前記２つの指示子の間の距離が算出され、前記第１の表示領域に当該算出された距離が表示された後に、前記距離表示線がドラッグされた場合、前記２つの指示子は、その間の距離を維持したまま、前記軸方向に平行移動可能であることを特徴とする請求項３に記載の画像診断装置。
【請求項６】
前記２つの指示子が前記軸方向に平行移動する間、前記２つの個別領域には、それぞれ、該２つの指示子によって指示される、前記軸方向の位置に対応する断面画像が表示されることを特徴とする請求項５に記載の画像診断装置。
【請求項７】
前記２つの指示子の色と、前記２つの個別領域の外縁部の色とが対応していることを特徴とする請求項１に記載の画像診断装置。
【請求項８】
信号の送受信を連続的に行う送受信部を、管状組織の内部において軸方向に移動させながら該管状組織からの反射信号を取得し、該取得した反射信号に基づいて該管状組織の断面画像の構築に用いられるラインデータを生成するとともに、該生成したラインデータを用いて、該管状組織の軸と直交する方向の横断面画像を複数構築する画像診断装置における表示方法であって、
それぞれの前記横断面画像の構築に用いられるラインデータを用いて、前記管状組織の軸方向の縦断面画像を構築し、第１の表示領域に表示する第１の表示工程と、
前記第１の表示領域に表示された前記縦断面画像における軸方向の任意の位置に対応する、前記横断面画像を、第２の表示領域に表示する第２の表示工程と、
前記第１の表示領域に対して所定の操作を実行する旨の指示を受け付けた場合に、前記第２の表示領域を２つの個別領域に分割する分割工程と、
前記所定の操作を実行する旨の指示を受け付けた場合に、前記第１の表示領域に、前記縦断面画像における軸方向の位置を指示するための指示子を少なくとも２つ表示する指示工程と、を備え、
前記第２の表示工程は、前記分割工程において、前記第２の表示領域が少なくとも２つの個別領域に分割された場合に、前記指示工程において表示された少なくとも２つの指示子によって指示された、前記軸方向の位置に対応する横断面画像を、それぞれの個別領域に表示することを特徴とする画像診断装置における表示方法。
【発明の詳細な説明】
【技術分野】
【０００１】
本発明は、画像診断装置及び表示方法に関するものである。
【背景技術】
【０００２】
従来より、ステント等の高機能カテーテルによる血管内治療時の術前診断、あるいは、術後の結果確認のために、超音波画像診断装置や、光干渉断層画像診断装置（ＯＣＴ）（例えば、特許文献１参照）、また、その改良型である、波長掃引を利用した光干渉断層画像診断装置（ＯＦＤＩ）が利用されている（以下、本明細書において、超音波画像診断装置と、光干渉断層画像診断装置（ＯＣＴ）と、波長掃引を利用した光干渉断層画像診断装置（ＯＦＤＩ）とを総称して、「画像診断装置」と呼ぶこととする）。
【０００３】
例えば、ステント留置前の術前診断では、留置すべきステントの長さやステントを留置する位置等を選択・決定すべく、治療対象となる病変部位の長さを測定するために用いられる。また、ステント留置後の結果確認においては、留置したステントが所望の病変部位をカバーしているか否かを確認するために用いられる。
【０００４】
このような用途で画像診断装置が用いられるようになった結果、近年、ステント留置後の再狭窄が、ステントエッジから発生するケースが多いことがわかってきた。このため、例えば、いくつかのガイドラインでは、ステント留置時のステントエッジにおけるプラーク率として、５０％以下を目標とする治療指針が示されるようになってきている。
【０００５】
このようなことから、上記用途で用いられる画像診断装置の場合、留置後にステントエッジが位置する部分の血管内の状況（断面画像）を容易に参照でき、かつ、留置すべきステントの長さや留置すべき位置等を選択・決定できる構成となっていることが望ましい。
【先行技術文献】
【特許文献】
【０００６】
【特許文献１】特開２０１０−１４５０１号公報
【発明の概要】
【発明が解決しようとする課題】
【０００７】
しかしながら、従来の画像診断装置の場合、軸方向に連続的に撮影された複数の断面画像を、撮影順序に従って１枚ずつ表示画面に表示（再生）させる構成となっているのが一般的である。このため、所望の位置における血管内の状況を把握することは容易であるが、ステント留置後にステントエッジが位置する部分におけるプラーク率の確認の観点から、当該位置における血管内の状況（断面画像）を把握することはユーザにとって必ずしも容易ではない。
【０００８】
実際、ユーザは、これまで、早送り／巻き戻しを繰り返し、軸方向の位置を適宜変更しながら、複数の断面画像を表示画面に順次表示させることで、ステントエッジが位置する部分の血管内の状況の把握を行っており、作業効率がよいとは言えなかった。このため、画像診断装置においては、用途に適したユーザインタフェースの提供が求められている。
【０００９】
本発明は上記課題に鑑みてなされたものであり、特に、ステント留置前の術前診断に適したユーザインタフェースを備える画像診断装置を提供することを目的とする。
【課題を解決するための手段】
【００１０】
上記の目的を達成するために、本発明に係る画像診断装置は以下のような構成を備える。即ち、
信号の送受信を連続的に行う送受信部を、管状組織の内部において軸方向に移動させながら該管状組織からの反射信号を取得し、該取得した反射信号に基づいて該管状組織の断面画像の構築に用いられるラインデータを生成するとともに、該生成したラインデータを用いて、該管状組織の軸と直交する方向の横断面画像を複数構築する画像診断装置であって、
それぞれの前記横断面画像の構築に用いられるラインデータを用いて、前記管状組織の軸方向の縦断面画像を構築し、第１の表示領域に表示する第１の表示手段と、
前記第１の表示領域に表示された前記縦断面画像における軸方向の任意の位置に対応する、前記横断面画像を、第２の表示領域に表示する第２の表示手段と、
前記第１の表示領域に対して所定の操作を実行する旨の指示を受け付けた場合に、前記第２の表示領域を少なくとも２つの個別領域に分割する分割手段と、
前記所定の操作を実行する旨の指示を受け付けた場合に、前記第１の表示領域に、前記縦断面画像における軸方向の位置を指示するための指示子を少なくとも２つ表示する指示手段と、を備え、
前記第２の表示手段は、前記分割手段により、前記第２の表示領域が少なくとも２つの個別領域に分割された場合に、前記指示手段により表示された少なくとも２つの指示子によって指示された、前記軸方向の位置に対応する横断面画像を、それぞれの個別領域に表示することを特徴とする。
【発明の効果】
【００１１】
本発明によれば、ステント留置前の術前診断に適したユーザインタフェースを備える画像診断装置を提供することが可能となる。
【図面の簡単な説明】
【００１２】
【図１】本発明の一実施形態にかかる画像診断装置の外観構成を示す図である。
【図２】画像診断装置１００の機能構成を示す図である。
【図３】信号処理部の機能構成を示す図である。
【図４】画像診断装置１００のモニタに表示される表示画面の一例を示す図である。
【図５】縦断面画像操作時の表示処理の流れを示すフローチャートである。
【図６】縦断面画像操作時の表示処理における表示画面の一例を示す図である。
【図７】縦断面画像操作時の表示処理における表示画面の一例を示す図である。
【図８】縦断面画像操作時の表示処理における表示画面の一例を示す図である。
【図９】縦断面画像操作時の表示処理における表示画面の一例を示す図である。
【図１０】縦断面画像操作時の表示処理の流れを示すフローチャートである。
【図１１】縦断面画像操作時の表示処理における表示画面の一例を示す図である。
【発明を実施するための形態】
【００１３】
以下、本発明の各実施形態について図面を参照しながら説明する。
【００１４】
［第１の実施形態］
＜１．画像診断装置の外観構成＞
図１は本発明の一実施形態にかかる画像診断装置について説明する。なお、上述したように、画像診断装置には、超音波画像診断装置、光干渉断層画像診断装置（ＯＣＴ）及び波長掃引利用の光干渉断層画像診断装置（ＯＦＤＩ）が含まれるが、外観構成については、光画像診断装置である、光干渉断層画像診断装置（ＯＣＴ）及び波長掃引利用の光干渉断層画像診断装置（ＯＦＤＩ）について説明する。
【００１５】
図１は、光画像診断装置（光干渉断層画像診断装置または波長掃引利用の光干渉断層画像診断装置）１００の外観構成を示す図である。
【００１６】
図１に示すように、光画像診断装置１００は、光プローブ部１０１と、スキャナ／プルバック部１０２と、操作制御装置１０３とを備え、スキャナ／プルバック部１０２と操作制御装置１０３とは、信号線１０４により接続されている。
【００１７】
光プローブ部１０１は、直接血管等の管状組織内に挿入され、伝送された測定光を連続的に管状組織に向けて送信するとともに、管状組織からの反射光を連続的に受信する送受信部を先端に備えるイメージングコアを内挿しており、該イメージングコアを用いることで管状組織の状態を測定する。
【００１８】
スキャナ／プルバック部１０２は、光プローブ部１０１が着脱可能に取り付けられるよう構成されており、内蔵されたモータが駆動することで光プローブ部１０１に内挿されたイメージングコアのラジアル動作（管腔内の軸方向の動作及び回転方向の動作）を実現している。また、送受信部が受信した反射光を取得するとともに、信号線１０４を介して該取得した反射光を操作制御装置１０３に送信する。
【００１９】
操作制御装置１０３は、測定を行うにあたり、各種設定値を入力するための機能や、測定結果を管状組織の断面画像として表示するための機能を備える。
【００２０】
操作制御装置１０３において、１１１は本体制御部であり、測定により得られた反射光と、測定光を分離することで得られた参照光と、を干渉させることで干渉光データを生成するとともに、該干渉光データに基づいて生成されたラインデータを処理することで、管状組織の軸に直交する方向の横断面画像を複数構築する。
【００２１】
１１１−１はプリンタ／ＤＶＤレコーダであり、本体制御部１１１における処理結果を印刷したり、データとして記憶したりする。１１２は操作パネルであり、ユーザは該操作パネル１１２を介して、各種設定値及び各種指示の入力を行う。１１３は表示装置としてのＬＣＤモニタであり、本体制御部１１１において構築された管状組織の複数の断面画像を表示する。
【００２２】
＜２．画像診断装置の機能構成＞
次に、画像診断装置１００の機能構成について説明する。なお、上述したように、画像診断装置のうち、光画像診断装置には、更に、光干渉断層画像診断装置（ＯＣＴ）及び波長掃引利用の光干渉断層画像診断装置（ＯＦＤＩ）が含まれるが、以下では、主として波長掃引利用の光干渉断層画像診断装置（ＯＦＤＩ）について説明する。
【００２３】
図２は、画像診断装置１００である、波長掃引利用の光干渉断層画像診断装置の機能構成を示す図である。
【００２４】
２０８は波長掃引光源であり、Ｓｗｅｐｔ  Ｌａｓｅｒが用いられる。Ｓｗｅｐｔ  Ｌａｓｅｒを用いた波長掃引光源２０８は、ＳＯＡ２１５（ｓｅｍｉｃｏｎｄｕｃｔｏｒ  ｏｐｔｉｃａｌ  ａｍｐｌｉｆｉｅｒ）とリング状に結合された光ファイバ２１６とポリゴンスキャニングフィルタ（２０８ｂ）よりなる、Ｅｘｔｅｎｄｅｄ−ｃａｖｉｔｙ  Ｌａｓｅｒの一種である。
【００２５】
ＳＯＡ２１５から出力された光は、光ファイバ２１６を進み、ポリゴンスキャニングフィルタ２０８ｂに入り、ここで波長選択された光は、ＳＯＡ２１５で増幅され、最終的にｃｏｕｐｌｅｒ２１４から出力される。
【００２６】
ポリゴンスキャニングフィルタ２０８ｂでは、光を分光する回折格子２１２とポリゴンミラー２０９との組み合わせで波長を選択する。具体的には、回折格子２１２により分光された光を２枚のレンズ（２１０、２１１）によりポリゴンミラー２０９の表面に集光させる。これによりポリゴンミラー２０９と直交する波長の光のみが同一の光路を戻り、ポリゴンスキャニングフィルタ２０８ｂから出力されることとなる。このため、ポリゴンミラー２０９を回転させることで、波長の時間掃引を行うことができる。
【００２７】
ポリゴンミラー２０９は、例えば、７２面体のミラーが使用され、回転数が５００００ｒｐｍ程度である。ポリゴンミラー２０９と回折格子２１２とを組み合わせた波長掃引方式により、高速、高出力の波長掃引が可能である。
【００２８】
Ｃｏｕｐｌｅｒ２１４から出力された波長掃引光源２０８の光は、第１のシングルモードファイバ２３０の一端に入射され、先端側に伝送される。第１のシングルモードファイバ２３０は、途中の光カップラ部２３４において第２のシングルモードファイバ２３７及び第３のシングルモードファイバ２３１と光学的に結合されている。従って、第１のシングルモードファイバ２３０に入射された光は、この光カップラ部２３４により最大で３つの光路に分割されて伝送される。
【００２９】
第１のシングルモードファイバ２３０の光カップラ部２３４より先端側には、非回転部と回転部との間を結合し、光を伝送する光ロータリジョイント２０３が回転駆動装置２０４内に設けられている。
【００３０】
更に、光ロータリジョイント２０３内の第４のシングルモードファイバ２３５の先端側には、光プローブ部１０１の第５のシングルモードファイバ２３６がアダプタ２０２を介して着脱自在に接続されている。これによりイメージングコア２０１内に挿通され回転駆動可能な第５のシングルモードファイバ２３６に、波長掃引光源２０８からの光が伝送される。
【００３１】
伝送された光は、イメージングコア２０１の先端側から管状組織に対してラジアル動作しながら照射される。そして、管状組織（例えば血管）の表面あるいは内部で散乱した反射光の一部がイメージングコア２０１により取り込まれ、逆の光路を経て第１のシングルモードファイバ２３０側に戻る。さらに、光カップラ部２３４によりその一部が第２のシングルモードファイバ２３７側に移り、第２のシングルモードファイバ２３７の一端から出射されることで、光検出器（例えばフォトダイオード２１９）にて受光される。
【００３２】
なお、光ロータリジョイント２０３の回転部側は回転駆動装置２０４のラジアル走査モータ２０５により回転駆動される。また、ラジアル走査モータ２０５の回転角度は、エンコーダ部２０６により検出される。更に、スキャナ／プルバック部１０２は、直線駆動装置２０７を備え、信号処理部２２３からの指示に基づいて、イメージングコア２０１の軸方向の動作を規定する。
【００３３】
一方、第３のシングルモードファイバ２３１の光カップラ部２３４と反対側の先端には、参照光の光路長を微調整する光路長の可変機構２２５が設けられている。
【００３４】
当該光路長の可変機構２２５は光プローブ部１０１を交換して使用した場合の個々の光プローブ部１０１の長さのばらつきを吸収できるよう、その長さのばらつきに相当する光路長を変化させる光路長変化手段として機能する。
【００３５】
具体的には、第３のシングルモードファイバ２３１およびコリメートレンズ２２６が、その光軸方向に矢印２３３で示すように移動自在な１軸ステージ２３２上に設けられている。
【００３６】
そして、光プローブ部１０１を交換した場合に、当該１軸ステージ２３２が、光プローブ部１０１の光路長のばらつきを吸収できるだけの光路長の可変範囲を移動することで光路長変化手段としての機能を実現する。なお、１軸ステージ２３２はオフセットを調整する調整手段としても機能する。例えば、光プローブ部１０１の先端が生体組織の表面に密着していない場合に、１軸ステージにより光路長を微小変化させることで、生体組織の表面位置からの反射光と干渉させる状態に設定することが可能となる。
【００３７】
光路長の可変機構２２５で光路長が微調整された光は第３のシングルモードファイバ２３１の途中に設けられた光カップラ部２３４で第１のシングルモードファイバ２３０側から得られた光と混合されて、第２のシングルモードファイバ２３７を介してフォトダイオード２１９にて受光される。
【００３８】
このようにしてフォトダイオード２１９にて受光された干渉光は光電変換され、アンプ２２０により増幅された後、復調器２２１に入力される。この復調器２２１では干渉した光の信号部分のみを抽出する復調処理を行い、その出力は干渉光信号としてＡ／Ｄ変換器２２２に入力される。
【００３９】
Ａ／Ｄ変換器２２２では、干渉光信号を例えば１８０ＭＨｚで２０４８ポイント分サンプリングして、１ラインのデジタルデータ（干渉光データ）を生成する。なお、サンプリング周波数を１８０ＭＨｚとしたのは、波長掃引の繰り返し周波数を４０ｋＨｚにした場合に、波長掃引の周期（１２．５μｓｅｃ）の９０％程度を２０４８点のデジタルデータとして抽出できることを前提としたものであり、特にこれに限定されるものではない。
【００４０】
Ａ／Ｄ変換器２２２にて生成されたライン単位の干渉光データは、信号処理部２２３に入力される。信号処理部２２３では干渉光データをＦＦＴ（高速フーリエ変換）により周波数分解して深さ方向のデータ（ラインデータ）を生成し、これを座標変換することにより、血管内の軸方向の各位置での断面画像を構築し、操作パネル２３８（図１の参照番号１１２に対応する）からの指示のもと、所定のフレームレートでＬＣＤモニタ２１７（図１の参照番号１１３に対応する）に出力する。
【００４１】
信号処理部２２３は、更に光路長調整手段制御装置２１８と接続されている。信号処理部２２３は光路長調整手段制御装置２１８を介して１軸ステージ２３２の位置の制御を行う。また、信号処理部２２３はモータ制御回路２２４と接続されており、モータ制御回路２２４よりビデオ同期信号を受信する。信号処理部２２３では、受信したビデオ同期信号に同期して断面画像の構築を行う。
【００４２】
また、このモータ制御回路２２４のビデオ同期信号は、回転駆動装置２０４にも送られ、回転駆動装置２０４ではビデオ同期信号に同期した駆動信号を出力する。
【００４３】
＜３．信号処理部の機能構成＞
次に、画像診断装置１００の信号処理部２２３における各種処理を実現するための機能構成について説明する。なお、以下では、信号処理部２２３において実現される各種処理のうち、軸に直交する方向の横断面画像を構築する処理及び軸方向の縦断面画像を構築する処理（構築処理）、ならびにラインデータを信号処理部２２３内に格納する処理（格納処理）を中心に説明する。
【００４４】
なお、以下に説明する構築処理及び格納処理は、専用のハードウェアを用いて実現されてもよいし、各部の機能をソフトウェアにより（コンピュータがプログラムを実行することにより）実現されてもよい。
【００４５】
図３は、画像診断装置１００の信号処理部２２３における構築処理と格納処理とを実現するための機能構成ならびに当該処理に関連する信号処理部２２３以外の機能ブロックを示した図である。
【００４６】
図３に示すように、Ａ／Ｄ変換器２２２で生成された干渉光データは、信号処理部２２３内のラインデータ生成部３０１において、モータ制御回路２２４から出力されるラジアル走査モータ２０５のエンコーダ部２０６の信号を用いて、ラジアル走査モータ１回転あたりのライン数が５１２本となるように処理される。
【００４７】
なお、ここでは一例として、５１２ラインからなる横断面画像を構築することとしているが、ライン数はこれに限定されるものではない。
【００４８】
ラインデータ生成部３０１より出力されたラインデータ３１４は、制御部３０６からの指示に基づいて、ラジアル走査モータ１回転分ごとに、ラインデータメモリ３０２に格納される。このとき、制御部３０６では、直線駆動装置２０７の移動量検出器より出力されたパルス信号３１３をカウントしておき、ラインデータ３１４をラインデータメモリ３０２に格納する際、それぞれのラインデータ３１４が生成された際にカウントされたカウント値と対応付けて格納する。
【００４９】
なお、ここでは、ラインデータメモリ３０２を配し、ラインデータ３１４を、直線駆動装置２０７の移動量検出器より出力されたパルス信号３１３のカウント値と対応付けて格納する場合について説明したが、本発明はこれに限定されない。例えば、横断面画像構築部３０３の後に断面画像データメモリを配し、横断面画像３１７を、直線駆動装置２０７の移動量検出器より出力されたパルス信号３１３のカウント値と対応付けて格納するように構成してもよい。
【００５０】
図３の説明に戻る。カウント値と対応付けて格納されたラインデータ３１５は、制御部３０６からの指示に基づいて、横断面画像構築部３０３にて各種処理（ライン加算平均処理、フィルタ処理等）が施された後、Ｒθ変換されることで、順次横断面画像３１７として出力される。
【００５１】
更に、画像処理部３０５において、ＬＣＤモニタ２１７に表示するための画像処理が施された後、軸と直交する方向の横断面画像３１７’としてＬＣＤモニタ２１７に出力される。
【００５２】
また、カウント値と対応付けて格納されたラインデータ３１５は、制御部３０６からの指示に基づいて、縦断面画像構築部３０４により読み出される。縦断面画像構築部３０４では、読み出されたラインデータ３１５を用いて軸方向の縦断面画像３１６を構築する。
【００５３】
なお、ここでは一例としてラインデータ３１５から縦断面画像３１６の構築を行う場合について説明したが、本発明はこれに限定されず、横断面画像３１７から縦断面画像を構築するように構成してもよい。
【００５４】
構築された縦断面画像３１６は、制御部３０６からの指示に基づいて、画像処理部３０５により読み出され、ＬＣＤモニタ２１７に表示するための画像処理が施された後、縦断面画像３１６’としてＬＣＤモニタ２１７に出力される。
【００５５】
ＬＣＤモニタ２１７では、画像処理部３０５において画像処理された横断面画像３１７’と縦断面画像３１６’とを並列して表示する。また、操作パネル２３８を介してユーザから入力された指示に対応する位置に配列されているラインデータと同じカウント値が対応付けられた、ラインデータメモリ３０２内の各ラインデータを用いて構築された横断面画像３１７’を再表示する。
【００５６】
なお、ＬＣＤモニタ２１７における横断面画像３１７’及び縦断面画像３１６’の表示、ならびに操作パネル２３８を介してユーザから入力された指示に対応する横断面画像３１７’の再表示については、以下に詳細に説明する。
【００５７】
＜４．画像診断装置のＬＣＤモニタに表示される表示画面＞
はじめに、画像診断装置１００のＬＣＤモニタ２１７に表示される表示画面について説明する。図４は、画像診断装置１００のＬＣＤモニタ２１７に横断面画像３１７’及び縦断面画像３１６’を表示するための表示画面４００の一例を示す図である。
【００５８】
図４に示すように、表示画面４００は、横断面画像を連続的に表示可能な横断面画像表示領域４１０と、縦断面画像を表示する縦断面画像表示領域４２０と、当該領域４１０、４２０に対する各種操作を行うための操作領域４３０と、を備える。
【００５９】
操作領域４３０は、更に、横断面画像表示領域４１０に表示された横断面画像に対する操作を行う横断面画像操作領域４３１と、縦断面画像表示領域４２０に表示された縦断面画像に対する操作を行う縦断面画像操作領域４３２と、横断面画像表示領域４１０に軸方向に横断面画像を再生させるための操作を行う画像再生操作領域４３３と、を備える。
【００６０】
上記構成のもと、所定のファイルを読み出し、画像再生操作領域４３３の各種ボタンを操作することで、横断面画像表示領域４１０内に、複数の横断面画像を連続的に表示させたり、連続表示中の複数の横断面画像を途中で一時停止させたり、更に、当該複数の横断面画像を、早送りまたは巻き戻ししながら連続的に表示させたりすることができる。なお、図４の例では、軸方向の所定の位置（縦断面画像表示領域４２０の縦断面画像４２２に対して矢印４２１によって指示された位置）に対応する横断面画像４１１を表示させた様子を示している。
【００６１】
図４に示す状態で、操作領域４３０の各種ボタンを操作することで、横断面画像４１１や縦断面画像４２２の所定領域を指定したり、当該指定した所定領域の面積や、各種長さを算出することができる。なお、以下では、特に縦断面画像操作領域４３２の各種ボタンを操作した場合の表示処理について説明する。
【００６２】
＜５．縦断面画像操作時の表示処理における表示画面＞
縦断面画像操作領域４３２を操作した場合の表示処理について図５〜図９を用いて説明する。
【００６３】
図５は、縦断面画像操作時の表示処理の流れを示すフローチャートであり、図６〜図９は、縦断面画像操作時の表示処理の各工程における表示画面４００を示した図である。以下、図５に示す縦断面画像操作時の表示処理の流れについて図６〜図９を参照しながら説明する。
【００６４】
ステップＳ５０１では、縦断面画像操作領域４３２の長さ計測ボタン６０１が押下されたか否かを判定する。ステップＳ５０１において長さ計測ボタン６０１が押下されていないと判定された場合には、押下されるまで待機する。
【００６５】
一方、ステップＳ５０１において長さ計測ボタン６０１が押下されたと判定された場合には、ステップＳ５０２に進み、横断面画像表示領域４１０を２画面に分割する。図６はステップＳ５０２において、２画面に分割された横断面画像表示領域６１０を示している。
【００６６】
図６に示すように、横断面画像表示領域６１０は、等しい大きさの２つの矩形領域６１１、６１２に分割される。なお、このとき、矩形領域６１１には、分割直前に横断面画像表示領域４１０に表示されていた横断面画像が縮小して表示され、矩形領域６１２には、何も表示されない。
【００６７】
ステップＳ５０３では、縦断面画像表示領域４２０に先端位置指示子を表示する。先端位置指示子とは、ステントを留置する際の先端位置を決定するために、ステントの先端位置の候補となる軸方向の位置の横断面画像を横断面画像表示領域６１０に表示させるための指示子である。図６は、縦断面画像表示領域４２０に先端位置指示子６２１を表示させた様子を示している。縦断面画像表示領域４２０に表示された当該先端位置指示子６２１は、縦断面画像表示領域４２０内において、軸方向に移動させることができるように構成されている。
【００６８】
ステップＳ５０４では、先端位置指示子６２１によって示された位置に対応する横断面画像を矩形領域６１１に表示する。
【００６９】
ステップＳ５０５では、先端位置指示子６２１の位置が確定したか否かを判定する。ステップＳ５０５において、先端位置指示子６２１の位置が確定していないと判定された場合には、確定したと判定されるまでステップＳ５０３に戻って先端位置指示子６２１と横断面画像を更新しながら、待機する。この状態では、先端位置指示子６２１が縦断面画像表示領域４２０内を軸方向に移動するごとに、矩形領域６１１に表示される横断面画像が変化することとなる。
【００７０】
ステップＳ５０５において、先端位置指示子６２１の位置が確定したと判定された場合には、ステップＳ５０６に進み、縦断面画像表示領域４２０に後端位置指示子を表示する。後端位置指示子とは、ステントを留置する際の後端位置を決定するために、ステントの後端位置の候補となる軸方向の位置の横断面画像を横断面画像表示領域６１０に表示させるとともに、留置すべきステントの長さを決定するために、先端位置指示子６２１との間の距離が算出される指示子である。
【００７１】
ステップＳ５０７では、後端位置指示子によって示された位置に対応する横断面画像を矩形領域６１２に表示する。図７は、縦断面画像表示領域４２０に後端位置指示子６２２を表示させるとともに、後端位置指示子６２２によって示された位置に対応する横断面画像を、矩形領域６１２に表示させた様子を示している。縦断面画像表示領域４２０内に表示された当該後端位置指示子６２２は、縦断面画像表示領域４２０内において、軸方向に移動させることができるように構成されている。
【００７２】
ステップＳ５０８では、後端位置指示子６２２の位置が確定したか否かを判定する。ステップＳ５０８において、後端位置指示子６２２の位置が確定していないと判定された場合には、確定したと判定されるまでステップ５０６に戻って待機する。この状態では、後端位置指示子６２２が縦断面画像表示領域４２０内を軸方向に移動するごとに、矩形領域６１２に表示される横断面画像が変化することとなる。
【００７３】
ステップＳ５０８において、後端位置指示子６２２の位置が確定したと判定された場合には、ステップＳ５０９に進む。
【００７４】
ステップＳ５０９では、先端位置指示子６２１と後端位置指示子６２２との間の距離を算出し、算出結果を縦断面画像表示領域４２０及び縦断面画像操作領域４３２に表示する。図７は、後端位置指示子６２２の位置が確定し、縦断面画像表示領域４２０及び縦断面画像操作領域４３２に、先端位置指示子６２１と後端位置指示子６２２との間の距離（Ｌ１）及び距離表示線が表示された様子を示している。
【００７５】
このように、矩形領域６１１、６１２に先端位置指示子６２１と後端位置指示子６２２に対応する横断面画像をそれぞれ同時に表示させる構成とすることで、ユーザは、ステントを留置する際のステントの先端位置候補と後端位置候補の横断面画像を同時に視認することが可能となる。更に、先端位置指示子６２１と後端位置指示子６２２の位置を確定させた場合に、両者間の距離を算出し表示する構成とすることで、ユーザは、先端位置候補と後端位置候補の間の距離を認識することが可能となる。これにより、留置すべきステントの位置及び長さを容易に選択・決定することが可能となる。
【００７６】
図５に戻る。ステップＳ５１０では、ユーザが、他の先端位置候補及び後端位置候補を検討するか否かを判定する。具体的には、縦断面画像操作領域４３２の長さ計測ボタン６０１が再度押下されたか否かを判定し、再度押下されたと判定された場合には、新たに、他の先端位置候補及び後端位置候補を検討する意思があると判定し、ステップＳ５０３に戻る。
【００７７】
ステップＳ５０３では、縦断面画像表示領域４２０に表示されていた先端位置指示子６２１及び後端位置指示子６２２を消去し、新たに、先端位置指示子を表示する。図８は、ステップＳ５１０において、ユーザに他の先端位置候補及び後端位置候補を検討する意思があると判定され、ステップＳ５０３において、新たに、先端位置指示子８２１を表示した様子を示す図である。
【００７８】
図８に示すように、縦断面画像表示領域４２０には、新たに先端位置指示子８２１が表示される。なお、１回目に長さ計測ボタン６０１が押下された際に算出された先端位置指示子６２１と後端位置指示子６２２との間の距離は、そのまま継続して表示される。
【００７９】
以下、ステップＳ５０４からＳ５０８までは、１回目に長さ計測ボタン６０１が押下された際の処理と同じ処理が実行される。ステップＳ５０９では、２回目に長さ計測ボタン６０１が押下された後に確定した先端位置指示子と後端位置指示子との間の距離を算出し、算出結果を縦断面画像表示領域４２０及び縦断面画像操作領域４３２に表示する。
【００８０】
図９は、先端位置指示子８２１及び後端位置指示子９２２の位置が確定され、縦断面画像表示領域４２０及び縦断面画像操作領域４３２に、先端位置指示子８２１と後端位置指示子９２２との間の距離（Ｌ２）及び距離表示線が表示された様子を示している。
【００８１】
一方、ステップＳ５１０において、ユーザに、他の先端位置候補と後端位置候補を検討する意思がないと判定された場合には、ステップＳ５１１に進む。ステップＳ５１１では、他の操作領域（横断面画像操作領域４３１、画像再生操作領域４３３）が操作されたか否かを判定する。
【００８２】
ステップＳ５１１において、他の操作領域が操作されていないと判定された場合には、ステップＳ５１０に戻る。一方、ステップＳ５１１において、他の操作領域が操作されたと判定された場合には、ステップＳ５１２に進み、横断面画像表示領域６１０を１画面に戻し、縦断面画像操作時の表示処理を終了する。
【００８３】
以上の説明から明らかなように、本実施形態に係る画像診断装置では、長さ計測ボタン６０１が押下されることで、横断面画像表示領域が２分割され、それぞれの矩形領域に、先端位置指示子及び後端位置指示子が指示する位置に対応する横断面画像を表示させるとともに、先端位置指示子と後端位置指示子の位置が確定した後は、両者の間の距離を算出し、横断面画像表示領域に表示する構成とした。
【００８４】
これにより、ユーザは、ステントを留置する場合のステントの先端位置候補と後端位置候補の横断面画像を同時に視認することが可能になるとともに、先端位置候補と後端位置候補の間の距離を認識することが可能となる。
【００８５】
この結果、留置すべきステントの位置及び長さを容易に選択・決定することが可能となる。なお、本実施形態では、長さ計測ボタン６０１を連続して２回押下できる構成としているが、本発明はこれに限定されない。長さ計測ボタン６０１を押下できる回数は、１回であっても、３回以上であってもよい。また、分割された横断面画像表示領域の形状を矩形としたが、それに限定されず、三角形、台形、円形などであってもよい。
【００８６】
［第２の実施形態］
上記第１の実施形態では、留置すべきステントの位置及び長さを検討できるよう、長さ計測ボタン６０１を複数回押下できる構成とした。しかしながら、本発明はこれに限定されず、例えば、留置すべきステントの長さが予め制限されている状況下においては、留置すべきステントの位置のみが検討できればよい。そこで、本実施形態に係る画像診断装置では、このような場合において、ユーザの操作を容易にする機能を付加する構成とした。以下、本実施形態に係る画像診断装置の構成について説明する。
【００８７】
図１０は、本実施形態に係る画像診断装置における縦断面画像操作時の表示処理の流れを示すフローチャートである。なお、ステップＳ５０１〜ステップＳ５１０までの処理は、上記第１の実施形態において、図５を用いて説明した処理と同じであるため、ここでは説明を省略する。
【００８８】
ステップＳ１０１３では、距離表示線がマウスポインタによってドラッグされたか否かを判定する。距離表示線とは、先端位置指示子と後端位置指示子の位置が確定し、算出された両者の間の距離が縦断面画像表示領域４２０に表示される際に、先端位置指示子と後端位置指示子との間に表示される矢印記号である。
【００８９】
ステップＳ１０１３において、距離表示線がドラッグされていないと判定された場合には、所定時間が経過するまで待機し、所定時間が経過しても距離表示線がドラッグされていないと判定された場合には、ステップＳ５０３に戻る。一方、ステップＳ１０１３において、距離表示線がドラッグされたと判定された場合には、ステップＳ１０１４に進む。
【００９０】
ステップＳ１０１４では、先端位置指示子と後端位置指示子とが、距離表示線で示された距離を維持したまま、距離表示線とともに移動する。
【００９１】
ステップＳ１０１５では、距離表示線がドラッグされることにより移動した、先端位置指示子と後端位置指示子のそれぞれの位置に対応する横断面画像を、矩形領域６１１、６１２に表示する。
【００９２】
図１１は、距離表示線がドラッグされ、縦断面画像表示領域４２０内において、紙面右方向に移動した様子を示した図である。図１１に示すように、先端位置指示子と後端位置指示子とは、距離表示線により示された距離を維持したまま、平行移動する。
【００９３】
このような機能を付加することで、例えば、先端位置指示子と後端位置指示子との間の距離を、予め決定されているステントの長さに設定しておくことで、ユーザは、当該長さを維持したまま、先端位置指示子が指示する位置に対応する横断面画像と、後端位置指示子が指示する位置に対応する横断面画像と、を同時に視認することが可能となる。
【００９４】
この結果、ユーザは、ステントの長さが決定している場合に留置すべきステントの位置を容易に選択・決定することが可能となる。
【００９５】
［第３の実施形態］
上記第１及び第２の実施形態において、先端位置指示子と後端位置指示子の位置はそれぞれ別途指示し確定するように構成されている。しかし、これに限定されず、予めステントの長さが決まっている場合は、その長さを入力しておき、先端位置指示子の位置が指定される、又は確定されると、自動的に後端位置指示子の位置が決定され、表示されるように構成してもよい。あるいは、先端位置を指定または確定した後、ステント長さを入力することによって後端位置指示子が表示されるように構成してもよい。
【００９６】
［第４の実施形態］
上記第１〜第３の実施形態では、縦断面画像における指示子として、先端位置指示子と後端位置指示子を表示する構成としたが、さらに、中央位置あるいはその他の任意の位置に、第３の指示子を表示するように構成してもよい。この場合、３つの指示子に対応する位置の横断面画像を表示するために、第２の表示領域は３つの矩形領域に分割される。これにより、ステントの先端位置および後端位置だけでなく、中間位置における横断面画像を確認することができる。
【００９７】
［第５の実施形態］
上記第１〜４の実施形態では、特に言及しなかったが、先端位置指示子の色と、当該先端位置指示子が指示する位置に対応する横断面画像が表示される矩形領域の外縁部の色とを同じに構成してもよい。同様に、後端位置指示子の色と、当該後端位置指示子が指示する位置に対応する横断面画像が表示される矩形領域の外縁部の色とを同じに構成してもよい。これにより、矩形領域６１１、６１２に表示されている横断面画像が、いずれの指示子により指示された位置に対応する断面画像であるかを、ユーザは容易に把握することが可能となる。
【００９８】
また、上記第１〜４の実施形態では、波長掃引利用の光干渉断層画像診断装置（ＯＦＤＩ）を例にとって説明したが、本発明はこれに限定されず、例えば、光干渉断層画像診断装置（ＯＣＴ）に適用することができる。また、超音波トランスデューサを先端に有する超音波プローブによって生体管腔の断面画像を得る超音波画像診断装置に適用することができる。
【符号の説明】
【００９９】
１０１：光プローブ部、１０２：スキャナ及びプルバック部、１０３：操作制御装置、１０４：信号線、１１１：本体制御部、１１１−１：プリンタ及びＤＶＤレコーダ、１１２：操作パネル、１１３：ＬＣＤモニタ、４００：表示画面、４１０：横断面画像表示領域、４１１：横断面画像、４２０：縦断面画像表示領域、４２１：矢印、４２２：縦断面画像、４３０：操作領域、４３１：横断面画像操作領域、４３２：縦断面画像操作領域、４３３：画像再生操作領域、６０１：長さ計測ボタン、６１１：矩形領域、６１２：矩形領域、６２１：先端位置指示子、６２２：後端位置指示子、８２１：先端位置指示子、９２２：後端位置指示子
【図１】
2012200532.tif 000003
【図２】
2012200532.tif 000004
【図３】
2012200532.tif 000005
【図４】
2012200532.tif 000006
【図５】
2012200532.tif 000007
【図６】
2012200532.tif 000008
【図７】
2012200532.tif 000009
【図８】
2012200532.tif 000010
【図９】
2012200532.tif 000011
【図１０】
2012200532.tif 000012
【図１１】
2012200532.tif 000013